(57)【要約】【課題】装置を大型化することなく単純で移動に関する制限がない構成を有し、水中であることを的確に検知することができる画像表示装置および画像表示装置の制御方法を提供する。【解決手段】撮像部が生成した画像データを含む情報を表示する表示部６と、表示部６に積層して設けられ、外部からの押圧による信号の入力位置および圧力を検出するタッチパネル７と、タッチパネル７の予め定められた領域で略均一な圧力の信号の入力を検出した場合に水中であると判定する水中判定部１０１と、を備える。【選択図】図１
2010224063.tif 000002
【特許請求の範囲】
【請求項１】
画像を含む情報を表示する表示部と、
前記表示部の表面に設けられ、外部から押圧された位置および圧力に応じた信号の入力を検出する入力検出部と、
前記入力検出部の予め定められた領域で略均一な圧力を有する信号の入力を検出した場合、前記入力検出部が水中に位置すると判定する水中判定部と、
を備えたことを特徴とする画像表示装置。
【請求項２】
前記水中判定部によって前記入力検出部が水中に位置すると判定された場合、前記入力検出部からの操作信号の入力を不許可とする設定を行う入力設定部を備えたことを特徴とする請求項１に記載の画像表示装置。
【請求項３】
前記水中判定部は、
前記領域で略均一な圧力を有する信号の入力を複数回連続して検出した場合、前記入力検出部が水中に位置すると判定することを特徴とする請求項１または２に記載の画像表示装置。
【請求項４】
前記領域は、前記入力検出部で信号の入力を検出可能な全領域であることを特徴とする請求項１〜３のいずれか一項に記載の画像表示装置。
【請求項５】
前記入力検出部が水中にある場合の水深を判定する水深判定部を備えたことを特徴とする請求項１〜４のいずれか一項に記載の画像表示装置。
【請求項６】
前記水中判定部は、
前記水深判定部が判定した水深が所定値以上である場合に水中判定の判定周期を長くすることを特徴とする請求項５に記載の画像表示装置。
【請求項７】
前記入力検出部は、
操作信号の入力を検出する操作信号検出部と、
前記操作信号検出部とは異なる領域に設けられ、前記入力検出部の水中判定および水深判定に用いる水中／水深判定用信号を検出する水中／水深判定用信号検出部と、
を有することを特徴とする請求項５または６に記載の画像表示装置。
【請求項８】
被写体を撮像し、この撮像した被写体の電子的な画像データを生成する撮像部を備えたことを特徴とする請求項１〜７のいずれか一項に記載の画像表示装置。
【請求項９】
画像を含む情報を表示する表示部と、前記表示部に積層して設けられ、外部からの押圧による信号の入力位置および圧力を検出する入力検出部と、を備えた画像表示装置の制御方法であって、
前記入力検出部の予め定められた領域で略均一な圧力を有する信号の入力を検出した場合、前記入力検出部が水中に位置すると判定することを特徴とする画像表示装置の制御方法。
【発明の詳細な説明】
【技術分野】
【０００１】
本発明は、画像を表示する画像表示装置および当該画像表示装置の制御方法に関する。
【背景技術】
【０００２】
従来より、撮像装置においては、水中での撮影を可能とする様々な技術が知られている。例えば、撮像装置に水中であることを検知する水中検知手段を設けておき、水中であることを検知した場合に撮影モードを変更する技術が開示されている（例えば、特許文献１、２を参照）。
【０００３】
この技術では、水中検知手段を設けるために撮像装置が大型化してしまい、コストがかかるという問題があった。この問題を解決するために、水中検知手段を撮像装置とは別の装置（例えばダイバーズウォッチ）に具備させておき、この別の装置と撮像装置とを接続することによって水中であることを判定させる技術が開示されている（例えば、特許文献３を参照）。
【先行技術文献】
【特許文献】
【０００４】
【特許文献１】特開平８−１８４８８７号公報
【特許文献２】特開平６−３５１０２５号公報
【特許文献３】特開２００３−２３３１１５号公報
【発明の概要】
【発明が解決しようとする課題】
【０００５】
しかしながら、上述した特許文献３に記載の従来技術では、撮像装置と別な装置が必要であるために構成が複雑化せざるを得ない上、別の装置との接続によって撮像装置を自由に移動させることができなくなってしまうという問題があった。
【０００６】
本発明は、上記に鑑みてなされたものであって、装置を大型化することなく単純で移動に関する制限がない構成を有し、水中であることを的確に検知することができる画像表示装置および画像表示装置の制御方法を提供することを目的とする。
【課題を解決するための手段】
【０００７】
上述した課題を解決し、目的を達成するために、本発明に係る画像表示装置は、画像を含む情報を表示する表示部と、前記表示部の表面に設けられ、外部から押圧された位置および圧力に応じた信号の入力を検出する入力検出部と、前記入力検出部の予め定められた領域で略均一な圧力を有する信号の入力を検出した場合、前記入力検出部が水中に位置すると判定する水中判定部と、を備えたことを特徴とする。
【０００８】
また、本発明に係る画像表示装置は、上記発明において、前記水中判定部によって前記入力検出部が水中に位置すると判定された場合、前記入力検出部からの操作信号の入力を不許可とする設定を行う入力設定部を備えたことを特徴とする。
【０００９】
また、本発明に係る画像表示装置は、上記発明において、前記水中判定部は、前記領域で略均一な圧力を有する信号の入力を複数回連続して検出した場合、前記入力検出部が水中に位置すると判定することを特徴とする。
【００１０】
また、本発明に係る画像表示装置は、上記発明において、前記領域は、前記入力検出部で信号の入力を検出可能な全領域であることを特徴とする。
【００１１】
また、本発明に係る画像表示装置は、上記発明において、前記入力検出部が水中にある場合の水深を判定する水深判定部を備えたことを特徴とする。
【００１２】
また、本発明に係る画像表示装置は、上記発明において、前記水中判定部は、前記水深判定部が判定した水深が所定値以上である場合に水中判定の判定周期を長くすることを特徴とする。
【００１３】
また、本発明に係る画像表示装置は、上記発明において、前記入力検出部は、操作信号の入力を検出する操作信号検出部と、前記操作信号検出部とは異なる領域に設けられ、前記入力検出部の水中判定および水深判定に用いる水中／水深判定用信号を検出する水中／水深判定用信号検出部と、を有することを特徴とする。
【００１４】
また、本発明に係る画像表示装置は、上記発明において、被写体を撮像し、この撮像した被写体の電子的な画像データを生成する撮像部を備えたことを特徴とする。
【００１５】
また、本発明に係る画像表示装置の制御方法は、画像を含む情報を表示する表示部と、前記表示部に積層して設けられ、外部からの押圧による信号の入力位置および圧力を検出する入力検出部と、を備えた画像表示装置の制御方法であって、前記入力検出部の予め定められた領域で略均一な圧力を有する信号の入力を検出した場合、前記入力検出部が水中に位置すると判定することを特徴とする。
【発明の効果】
【００１６】
本発明によれば、画像表示装置に構成を付加したり、水中判定機能を別装置に設けたりすることなく、入力検出部が水中に位置しているか否かを判定することができる。したがって、装置を大型化することなく単純で移動に関する制限がない構成を有し、水中に位置していることを的確に検知することが可能となる。
【図面の簡単な説明】
【００１７】
【図１】図１は、本発明の実施の形態１に係る画像表示装置の構成を示すブロック図である。
【図２】図２は、本発明の実施の形態１に係る画像表示装置のタッチパネルの要部の構成を示す図である。
【図３】図３は、本発明の実施の形態１に係る画像表示装置のタッチパネルにおける押圧位置の特定処理の概要を模式的に説明する図である。
【図４】図４は、本発明の実施の形態１に係る画像表示装置のタッチパネルにおける押圧位置および圧力の検出結果を示す図である。
【図５】図５は、本発明の実施の形態１に係る画像表示装置のタッチパネルが地上に位置している場合のノードの検出状態を示す図である。
【図６】図６は、本発明の実施の形態１に係る画像表示装置のタッチパネルの一部が水中に位置している場合のノードの検出状態を示す図である。
【図７】図７は、本発明の実施の形態１に係る画像表示装置がのタッチパネル水中に位置している場合のノードの検出状態を示す図である。
【図８】図８は、本発明の実施の形態１に係る画像表示装置が行う水中判定処理の概要を示すフローチャートである。
【図９】図９は、本発明の実施の形態１に係る画像表示装置のタッチパネルにおける水中判定の別な態様（第１例）を模式的に示す図である。
【図１０】図１０は、本発明の実施の形態１に係る画像表示装置のタッチパネルにおける水中判定の別な態様（第２例）を模式的に示す図である。
【図１１】図１１は、本発明の実施の形態１に係る画像表示装置のタッチパネルにおける水中判定の別な態様（第３例）を模式的に示す図である。
【図１２】図１２は、本発明の実施の形態１に係る画像表示装置のタッチパネルにおける水中判定の別な態様（第４例）を模式的に示す図である。
【図１３】図１３は、本発明の実施の形態２に係る画像表示装置の構成を示すブロック図である。
【図１４】図１４は、本発明の実施の形態２に係る画像表示装置のタッチパネルにおけるノードの構成を模式的に示す図である。
【図１５】図１５は、本発明の実施の形態２に係る画像表示装置が水中にある場合の水深とノードの検知状況との関係を示す図である。
【図１６】図１６は、本発明の実施の形態２に係る画像表示装置が行う水中判定処理の概要を示すフローチャートである。
【図１７】図１７は、本発明の実施の形態２に係る画像表示装置のタッチパネルにおける検出内容の区分を模式的に示す図である。
【図１８】図１８は、本発明の実施の形態３に係る画像表示装置が行う水中判定処理の概要を示すフローチャートである。
【発明を実施するための形態】
【００１８】
以下、添付図面を参照して本発明を実施するための形態を説明する。
【００１９】
（実施の形態１）
図１は、本発明の実施の形態１に係る画像表示装置の構成を示すブロック図である。本実施の形態１に係る画像表示装置は、画像を表示する機能に加えて、被写体を撮像する機能を具備した撮像装置である。図１に示す撮像装置１は、所定の視野領域に含まれる被写体からの光を集光し、この集光した光を光電変換することによって得られる画像信号からデジタルの画像データを生成する撮像部２と、撮像部２が生成した画像データに対して画像処理を施す画像処理部３と、レリーズ信号を含む撮像装置１の操作信号等の入力を受け付ける入力キー４と、タップ操作による入力を受け付けるタップ入力部５と、画像処理部３で処理が施された画像データに対応する画像を表示する表示部６と、表示部６に積層して設けられ、外部からの押圧に応じて信号の入力を受け付ける入力検出部であるタッチパネル７と、タッチパネル７を駆動するタッチパネル駆動部８と、撮像部２が撮影した画像の画像データを含む各種情報を記憶する記憶部９と、入力キー４やタップ入力部５から入力された信号に応じて撮像装置１の動作を制御する制御部１０と、を備える。
【００２０】
撮像部２は、一または複数のレンズによって構成され、所定の視野領域に存在する被写体からの光を集光する光学系と、光学系が集光した光の入射量を調整する絞りと、レリーズ信号に応じて動作するシャッタと、絞りおよびシャッタを通過した光を受光して電気信号に変換するＣＣＤ（Charge Coupled Device）等の撮像素子と、撮像素子から出力されるアナログ信号に増幅やホワイトバランス等の信号処理を施した後、Ａ／Ｄ変換を行うことによってデジタルの画像データを生成する信号処理回路とを有する。
【００２１】
入力キー４は、撮像装置１の電源ボタン、撮像指示を与えるレリーズ信号を入力するレリーズボタン、撮影時のズームや露出を調整するためのボタン、撮像装置１で設定可能な各種動作モードの切替を行うモード切替ボタン、画像データの再生や編集の指示を含む制御ボタンなどを有する。
【００２２】
タップ入力部５は、タップ操作によって撮像装置１が動く際の撮像装置１の加速度を検出する加速度センサ５１を有する。
【００２３】
表示部６は、液晶、プラズマまたは有機ＥＬ（Electro Luminescence）等からなる表示パネルを用いて実現され、画像データのほかに撮像装置１の操作情報や撮影に関する情報を適宜表示する。
【００２４】
図２は、タッチパネル７の要部の構成を示す図である。タッチパネル７は容量式のタッチパネルであり、互いに平行に並んだ複数の帯状のトレース７１と、トレース７１と直交する方向に平行に並んだ複数の帯状のトレース７２と、トレース７１とトレース７２との間に介在する平板状の誘電体７３とを有する。トレース７１、７２は、酸化インジウムスズ（ＩＴＯ）、導電性透明ポリマー、または酸化アンチモンスズ（ＡＴＯ）などの透明な薄膜状の導電体によって実現され、トレース７１、７２の長手方向の一端部にはメタルトレース７４、７５がそれぞれ設けられている。トレース７１、７２のうち撮像装置１の表面側に位置するトレース７１は、ＰＥＴ（Polyethylene Terephthalate）等のように可撓性を有する材料からなる上部基板７６に設けられる一方、表示部６と対向する側に位置するトレース７２の表面にはガラス等の材料からなる下部基板７７に設けられる。トレース７１、７２および誘電体７３は、上部基板７６と下部基板７７によって挟まれた態様をなす。メタルトレース７４、７５は、図示しないコネクタを経由してタッチパネル駆動部８や制御部１０と電気的に接続されている。
【００２５】
トレース７１とトレース７２が上下に重なる位置において、トレース７１、７２は容量結合し、二つの電極を形成する。以下、この重なって二つの電極が形成される位置のことを「ノード」という。図３は、タッチパネル７における押圧位置の特定処理の概要を模式的に説明する図である。タッチパネル７における押圧位置を検出する際には、一つのトレース７１に特定の周波数のＡＣ電圧を印加して刺激する一方、他のトレース７１は電源電圧（ＤＣ電圧）レベルに保持する。これにより、タッチパネル７にはＡＣ電圧に伴うキャパシタンスが発生する。外部から指などの導電性を有する物体による押圧位置および圧力は、キャパシタンスの変化として検出することができる。図３に示す場合には、１行目のトレース７１にＡＣ電圧を印加した結果、３列目のノードが押圧を検出した状況を模式的に示している（押圧を検出したノードを黒丸で表示）。
【００２６】
タッチパネル駆動部８は、全てのトレース７１を一つずつ刺激しながら全てのノードを走査することにより、タッチパネル７上での押圧位置および圧力を検出することができる。図４は、タッチパネル７における押圧位置および圧力の検出結果を示す図であり、図３に示す構成に対応して検出された結果を示す図である。図４においては、１行３列目のノードｎのみが押圧を検出する一方、他のノードｎは押圧を検出していない。なお、タッチパネル７の構成およびその検出原理の詳細については、例えば特開２００８−３１０８１号公報に開示されている。
【００２７】
以下、図５〜図７を参照して、撮像装置１を水中に入れた場合のノードｎにおける押圧の検出状況の変化を説明する。図５は、撮像装置１が地上に置いた状態とその状態におけるノードｎの押圧の検出状況を示す図である。また、図６は、撮像装置１の一部を水Ｗの中に入れた状態とその状態におけるノードｎの検出状況を示す図である。また、図７は、撮像装置１全体を水Ｗの中に入れた状態とその状態におけるノードｎの検出状況を示す図である。なお、図５〜図７では、タッチパネル７には何もタッチされていないものとする。
【００２８】
図５において、撮像装置１は地上にあるため、タッチパネル７では押圧を検知しない。これに対し、図６では、撮像装置１の一部が水Ｗの中に入っているため、押圧を検知するノードｎ（黒丸で表示）が存在する。図７では、撮像装置１が水Ｗの中に入っているため、タッチパネル７の全てのノードｎが押圧を検知する。このようにして、タッチパネル７で押圧を検知したノードｎのパターンに応じて、撮像装置１が水中にあるか否かを判定することが可能となる。
【００２９】
記憶部９は、撮像装置１の内部に固定的に設けられるフラッシュメモリやＲＡＭ（Random Access Memory）等の半導体メモリを用いて実現され、水中判定部１０１における判定結果を記憶するとともに、撮像装置１の制御用プログラムを含む各種プログラムを記憶する。
【００３０】
制御部１０は、タッチパネル７から入力された信号に応じて撮像装置１が水中であるか否かを判定する水中判定部１０１と、水中判定部１０１が水中であると判定した場合、タッチパネル７からの操作信号の入力を不許可とする入力設定部１０２と、を有する。より具体的には、水中判定部１０１は、タッチパネル７の予め定められた領域で略均一な圧力の信号の入力を検出した場合に水中であると判定する。以上の機能構成を有する制御部１０は、ＣＰＵ（Central Processing Unit）等を用いて実現され、撮像装置１の各構成部位とバスラインを介して接続されている。
【００３１】
図８は、撮像装置１が行う水中判定処理の概要を示すフローチャートである。まず、水中判定部１０１は、タッチパネル７の状態を取得し（ステップＳ１）、タッチパネル７が水中にあるか否かを判定する（ステップＳ２）。本実施の形態１では、図７に示すように全てのノードｎが略均一な圧力を有する押圧を検出した場合、タッチパネル７が水中に位置すると判定する。水中判定部１０１による判定結果は、記憶部９へ記録される（ステップＳ３）。
【００３２】
続いて、水中判定部１０１は、所定のタイミングでタッチパネル７の状態を取得し（ステップＳ４）、水中判定を行い（ステップＳ５）、記憶部９が記憶する前回の判定結果と比較する（ステップＳ６）。今回の判定結果が前回の判定結果と異なる場合（ステップＳ７：Ｎｏ）、今回の判定結果が水中であれば（ステップＳ８：Ｙｅｓ）、制御部１０は、タッチパネル７からの操作信号の入力を不許可とし、表示部６の輝度を下げ、水中モードへの設定を行う（ステップＳ９）。一方、今回の判定結果が地上であれば（ステップＳ８：Ｎｏ）、制御部１０は、タッチパネル７からの操作信号の入力を許可し、表示部６の輝度を上げ、水中モードを解除する設定を行う（ステップＳ１１）。
【００３３】
ステップＳ９またはステップＳ１１に続いて、最新の判定結果が記憶部９に記録される（ステップＳ１０）。
【００３４】
その後、電源がオフされた場合（ステップＳ１２：Ｙｅｓ）、撮像装置１は一連の処理を終了する一方、電源がオフされない場合（ステップＳ１２：Ｎｏ）、撮像装置１はステップＳ４に戻る。
【００３５】
ステップＳ７において、水中判定部１０１の判定結果が前回と同じである場合（ステップＳ７：Ｙｅｓ）、撮像装置１はステップＳ１２へ移行する。
【００３６】
以上説明した本発明の実施の形態１によれば、表示部６の表面に設けられたタッチパネル７の予め定められた領域で略均一な圧力を有する信号の入力を検出した場合、タッチパネル７が水中に位置すると判定する水中判定部１０１を備えているため、従来の画像表示装置に構成を付加したり、水中判定機能を別装置に設けたりすることなく、タッチパネル７が水中に位置しているか否かを判定することができる。したがって、装置を大型化することなく単純で移動に関する制限がない構成を有し、水中に位置していることを的確に検知することが可能となる。
【００３７】
なお、タッチパネル７で水中検知を行う場合、必ずしもタッチパネル７の全てのノードｎで略均一な圧力を有する信号の入力を検知しなくてもよい。例えば、タッチパネル７が有するノードｎのうち所定の割合のノードｎが略均一な圧力を有する信号の入力を検出した場合、水中判定部１０１はタッチパネル７が水中にあると判定してもよい（図６を参照）。
【００３８】
また、図９に示すように、タッチパネル７の上辺付近に並んでいる全てのノードｎ（一列分のトレース７１に対応）のみを走査し、この部分の全てのノードｎで略均一な圧力を有する信号を検知した場合にタッチパネル７が水中に位置すると判定してもよい。
【００３９】
また、図１０に示すように、タッチパネル７の対角線に沿って並んでいるノードｎから全て略均一な圧力を有する信号を検知した場合にタッチパネル７が水中に位置すると判定してもよい。
【００４０】
また、図１１に示すように、タッチパネル７の上辺付近と下辺付近にそれぞれ並んでいるノードｎ（２列分のトレース７１に対応）が略均一な圧力を有する信号の入力を検知した場合にタッチパネル７が水中に位置すると判定してもよい。
【００４１】
また、図１２に示すように、タッチパネル７の四隅付近に位置するノードｎが略均一な圧力を有する信号を検知した場合にタッチパネル７が水中に位置すると判定してもよい。
【００４２】
また、タッチパネル７と同様、複数点の同時入力を区別して検出できる方式のものであれば、他の方式のタッチパネルを適用することも可能である。
【００４３】
（実施の形態２）
図１３は、本発明の実施の形態２に係る撮像装置（画像表示装置）の構成を示す図である。同図に示す撮像装置１１は、タッチパネル１２および制御部１３の構成を除いて上述した撮像装置１と同じである。
【００４４】
図１４は、タッチパネル１２におけるノードの構成を模式的に示す図である。タッチパネル１２は、上述したタッチパネル７と同様の構成を有する。タッチパネル１２は、ノードの検出感度が場所によって異なっている。具体的には、図１４に示すように、トレース７１の長手方向に沿って、互いに検出感度が異なるノードｎa、ｎb、ｎcが繰り返し並んでいる。各ノードは、押圧を検出する際の閾値が異なっており、ノードｎaが検知可能な圧力の下限が最も小さく、ノードｎcが検知可能な圧力の下限が最も大きい。
【００４５】
図１５は、撮像装置１１が水中にある場合の水深とノードｎにおける信号の検知状況との関係を示す図である。図１５において、水Ｗの水面付近の浅い領域Ｄ1では、ノードｎaのみが押圧を検知する。また、領域Ｄ１よりも深い領域Ｄ2では、ノードｎa、ｎbが押圧を検知する。また、領域Ｄ2よりも深い領域Ｄ3では、全てのノードｎa、ｎb、ｎcが押圧を検知する。なお、ノードｎaは、操作信号の入力を検知する機能も有している。
【００４６】
制御部１３は、水中判定部１０１、入力設定部１０２に加えて、水深判定部１３１を有する。水深判定部１３１は、タッチパネル１２から出力される信号に基づいて、撮像装置１１の水深を判定する。したがって、水深判定部１３１は、図１５に示す３つの状態に応じてタッチパネル１２から出力される信号に基づいて、撮像装置１１の水深を判定する。
【００４７】
図１６は、撮像装置１１が行う水中判定処理の概要を示すフローチャートである。まず、水中判定部１０１は、タッチパネル１２の状態を取得し（ステップＳ２１）、撮像装置が水中にあるか否かを判定する（ステップＳ２２）。判定の結果、撮像装置１が水中にある場合（ステップＳ２３：Ｙｅｓ）、水深判定部１３１が撮像装置１１の水深を判定する（ステップＳ２４）。これに対し、判定の結果、撮像装置１１が地上にある場合（ステップＳ２３：Ｎｏ）、撮像装置１１はステップＳ２５へ移行する。水中判定部１０１および水深判定部１３１による判定結果は、記憶部９へ記録される（ステップＳ２５）。
【００４８】
続いて、水中判定部１０１は、所定のタイミングでタッチパネル１２の状態を取得し（ステップＳ２６）、水中判定を行う（ステップＳ２７）。今回の判定結果が水中である場合（ステップＳ２８：Ｙｅｓ）、水深判定部１３１は水深判定を行う（ステップＳ２９）。今回の判定結果が水中でない場合（ステップＳ２８：Ｎｏ）、後述するステップＳ３０へ移行する。
【００４９】
ステップＳ２９に続いて、制御部１３は、水中判定部１０１および水深判定部１３１の判定結果（水中／水深判定結果）を前回の判定結果と比較する（ステップＳ３０）。今回の判定結果が前回と異なる場合（ステップＳ３１：Ｎｏ）、今回の判定結果が水中であれば（ステップＳ３２：Ｙｅｓ）、制御部１３は、タッチパネル１２からの操作信号の入力を不許可とし、表示部６の輝度を下げ、撮影モードの一つである水中モードへの設定を行うとともに、水深に応じた特性の切替を行う（ステップＳ３３）。ここでいう特性とは、例えば水中判定部１０１の判定周期、表示特性の変更、加速度センサ５１の感度などである。このうち、水中判定部１０１の判定周期については、水深が深いほど判定の周期を長くする。また、表示特性については、水深が深くなるほど青味を帯びて見えるため、この点を考慮した色補正処理を自動的に行う。また、検出特性については、水深が深いほどユーザがタップする際の動きも遅くなるため、タップを検出する加速度の下限値を水深が浅い場合よりも小さくする。
【００５０】
ステップＳ３２において、今回の判定結果が地上であれば（ステップＳ３２：Ｎｏ）、制御部１３は、タッチパネル１２からの入力を許可し、表示部６の輝度を上げ、水中モードを解除する設定を行う（ステップＳ３４）。
【００５１】
ステップＳ３３またはＳ３４の後、撮像装置１１は最新の判定結果を記憶部９に記録する（ステップＳ３５）。この後、電源がオフされた場合（ステップＳ３６：Ｙｅｓ）、撮像装置１１は一連の処理を終了する一方、電源がオフされない場合（ステップＳ３６：Ｎｏ）、撮像装置１１はステップＳ２６に戻る。
【００５２】
次に、ステップＳ３１において水中／水深判定結果が前回と同じである場合（ステップＳ３１：Ｙｅｓ）を説明する。この場合において、撮像装置１１が水中であり（ステップＳ３７：Ｙｅｓ）、かつ撮像装置１１の水深が変化したとき（ステップＳ３８：Ｙｅｓ）、制御部１３は水深に応じた特性の切替を行い（ステップＳ３９）、ステップＳ３５へ移行する。これに対し、撮像装置１１が水中であり（ステップＳ３７：Ｙｅｓ）、かつ撮像装置１１の水深が変化しないとき（ステップＳ３８：Ｎｏ）、撮像装置１１はステップＳ３６へ移行する。また、ステップＳ３７において撮像装置１１が水中にないとき（ステップＳ３７：Ｎｏ）、撮像装置１１はステップＳ３６へ移行する。
【００５３】
以上説明した本発明の実施の形態２によれば、タッチパネル１２が水深を判定する水深判定部１３１を備えているため、水深に応じて撮像装置１１の特性を変更することができる。
【００５４】
なお、タッチパネル１２において、図１７に示すようにタッチパネル１２の一部の領域Ｓ1を水中／水深判定用として使用し、それ以外の領域Ｓ2は入力用として使用するようにしてもよい。この意味で、領域Ｓ1が水中／水深判定用信号検出部であり、領域Ｓ2が操作信号検出部である。これにより、水中／水深判定の省電力化を測ることができる。
【００５５】
また、上述したタッチパネル１２と同様の効果を奏するものとして、複数のタッチパネルを積層したものを適用することも可能である。
【００５６】
また、水深判定を高精度で行う場合に、動作環境による誤差を校正するために、例えば図１６のステップＳ２１の後かまたは電源を投入した後にタッチパネル１２の圧力検出レベルの初期化を実行するようにしてもよい。
【００５７】
（実施の形態３）
図１８は、本発明の実施の形態３に係る撮像装置（画像表示装置）が行う水中判定処理の概要を示すフローチャートである。本実施の形態３に係る撮像装置の構成は、上述した撮像装置１の構成と同じである。まず、水中判定部１０１は、タッチパネル７の状態を取得し（ステップＳ４１）、撮像装置１が水中にあるか否かを判定する（ステップＳ４２）。水中判定部１０１による判定結果は、記憶部９へ記録される（ステップＳ４３）。その後、制御部１０は繰り返しのカウンタｍをゼロとする（ステップＳ４４）。
【００５８】
続いて、水中判定部１０１は、所定のタイミングでタッチパネル７の状態を取得し（ステップＳ４５）、水中判定を行い（ステップＳ４６）、記憶部９が記憶する前回の判定結果と比較する（ステップＳ４７）。今回の判定結果が前回の判定結果と同じである場合（ステップＳ４８：Ｙｅｓ）、カウンタｍが所定値Ｍに達していなければ（ステップＳ４９：Ｎｏ）、制御部１０はカウンタを１増やし（ステップＳ５５）、ステップＳ４５に戻る。
【００５９】
一方、ステップＳ４７で判定した結果、カウンタｍが所定値Ｍに達した場合（ステップＳ４９：Ｙｅｓ）、今回の判定結果が水中であれば（ステップＳ５０：Ｙｅｓ）、制御部１０は、タッチパネル７からの操作信号の入力を不許可とし、表示部６の輝度を下げ、水中モードへの設定を行う（ステップＳ５１）。一方、今回の判定結果が地上であれば（ステップＳ５０：Ｎｏ）、制御部１０は、タッチパネル７からの操作信号の入力を許可し、表示部６の輝度を上げ、水中モードを解除する設定を行う（ステップＳ５２）。
【００６０】
ステップＳ５１またはステップＳ５２の後、撮像装置１は最新の判定結果を記憶部９へ記録する（ステップＳ５３）。この後、電源がオフされた場合（ステップＳ５４：Ｙｅｓ）、撮像装置１は一連の処理を終了する一方、電源がオフされない場合（ステップＳ５４：Ｎｏ）、撮像装置１はステップＳ４４に戻る。
【００６１】
ステップＳ４８において、水中判定部１０１の判定結果が前回の判定結果と同じである場合（ステップＳ４８：Ｎｏ）、撮像装置１はステップＳ５４へ移行する。
【００６２】
以上説明した本発明の実施の形態３によれば、水中判定部１０１が所定のノードｎから略均一な圧力を有する信号の入力を複数回連続して検出した場合、タッチパネル１２が水中であると判定するため、より高精度な水中判定を実現することができる。
【００６３】
なお、本実施の形態３において、上述した実施の形態２に係る撮像装置１１と同様の水深判定機能を追加することも可能である。
【００６４】
（その他の実施の形態）
ここまで、本発明を実施するために好適な形態を説明してきたが、本発明は上述した三つの実施の形態によってのみ限定されるべきものではない。例えば、本発明は、ＰＤＡ（Personal Digital Assistant）やデジタルフォトフレームなどの撮像機能を有しない画像表示装置にも適用可能である。
【００６５】
また、本発明で適用される入力検出部としてのタッチパネルの構成は、上述した以外の構成を有していてもよい。
【符号の説明】
【００６６】
１、１１  撮像装置
２  撮像部
３  画像処理部
４  入力キー
５  タップ入力部
６  表示部
７、１２  タッチパネル
８  タッチパネル駆動部
９  記憶部
１０、１３  制御部
５１  加速度センサ
７１、７２  トレース
７３  誘電体
７４、７５  メタルトレース
７６  上部基板
７７  下部基板
１０１  水中判定部
１０２  入力設定部
１３１  水深判定部
Ｓ1  水中／水深判定用信号検出部
Ｓ2  操作信号検出部
Ｗ  水
【図１】
2010224063.tif 000003
【図２】
2010224063.tif 000004
【図３】
2010224063.tif 000005
【図４】
2010224063.tif 000006
【図５】
2010224063.tif 000007
【図６】
2010224063.tif 000008
【図７】
2010224063.tif 000009
【図８】
2010224063.tif 000010
【図９】
2010224063.tif 000011
【図１０】
2010224063.tif 000012
【図１１】
2010224063.tif 000013
【図１２】
2010224063.tif 000014
【図１３】
2010224063.tif 000015
【図１４】
2010224063.tif 000016
【図１５】
2010224063.tif 000017
【図１６】
2010224063.tif 000018
【図１７】
2010224063.tif 000019
【図１８】
2010224063.tif 000020